(57)【要約】パネル面を同一平面上に配置させることができるパネル構造物を提供することである。  パネル構造物を構成する複数のパネル部材は、同一正三角形状に形成された第１、第２、第３および第４のパネル部材（１２、１４、１６、１８）が同一平面上で時計回り方向もしくは反時計回り方向に隣接するように併設され六角形状に構成された第１の基礎ユニット（１０）をヒンジ（ａ、ｂ）を介して２次元的に複数配設させた集合体から構成されている。
2009011155.tif 000002
【特許請求の範囲】
【請求項１】
複数のパネル部材が互いにヒンジ結合されて構成されているパネル構造物であって、
複数のパネル部材は、同一正三角形状に形成された第１、第２、第３および第４のパネル部材が同一平面上で時計回り方向もしくは反時計回り方向に隣接するように併設され六角形状に構成された第１の基礎ユニットをヒンジを介して２次元的に複数配設させた集合体から構成されており、
第１のパネル部材と第２のパネル部材の隣り合う辺は、両パネル面が同一平面状態または段差を有した平行状態となるようにそれぞれヒンジ結合されており、
第３のパネル部材と第４のパネル部材の隣り合う辺は、両パネル面が同一平面状態または段差を有した平行状態となるようにそれぞれヒンジ結合されており、
第２のパネル部材と第３のパネル部材の隣り合う辺は、両パネル部材が重なり合うようにヒンジ結合されていることを特徴とするパネル構造物。
【請求項２】
請求項１に記載のパネル構造物であって、
同一正三角形状に形成された第５、第６、第７および第８のパネル部材が同一平面上で第１の基礎ユニットの各パネル部材の併設方向と同方向に隣接するように併設され六角形状に構成された第２の基礎ユニットを備えており、
複数のパネル部材は、第１の基礎ユニットと、この第１の基礎ユニットに対して、第２のパネル部材と第３のパネル部材のヒンジの軸方向および第６のパネル部材と第７のパネル部材のヒンジの軸方向が一致するように併設された第２の基礎ユニットとからなり、ヒンジを介してこれら両基礎ユニットを２次元的に複数配設させた集合体から構成されており、
第１のパネル部材と、隣り合う第２の基礎ユニットの第６のパネル部材との間のヒンジは、両パネル部材のパネル正面が互いに近づく方向にのみ回動可能となっており、
第１のパネル部材と、隣り合う第１の基礎ユニットの第４のパネル部材との間のヒンジは、両パネル部材のパネル正面が互いに遠ざかる方向にのみ回動可能となっており、
第２のパネル部材と、第３のパネル部材との間のヒンジは、両パネル部材のパネル正面が互いに近づく方向にのみ回動可能となっており、
第４のパネル部材と、隣り合う第２の基礎ユニットの第７のパネル部材との間のヒンジは、両パネル部材のパネル正面が互いに近づく方向にのみ回動可能となっており、
第４のパネル部材と、隣り合う第１の基礎ユニットの第１のパネル部材との間のヒンジは、両パネル部材のパネル正面が互いに遠ざかる方向にのみ回動可能となっており、
第５のパネル部材と、隣り合う第２の基礎ユニットの第８のパネル部材との間のヒンジは、両パネル部材のパネル正面が互いに近づく方向にのみ回動可能となっており、
第６のパネル部材と、隣り合う第１の基礎ユニットの第１のパネル部材との間のヒンジは、両パネル部材のパネル正面が互いに近づく方向にのみ回動可能となっており、
第６のパネル部材と、第７のパネル部材との間のヒンジは、両パネル部材のパネル正面が互いに遠ざかる方向にのみ回動可能となっており、
第７のパネル部材と、隣り合う第１の基礎ユニットの第３のパネル部材との間のヒンジは、両パネル部材のパネル正面が互いに近づく方向にのみ回動可能となっており、
第８のパネル部材と、隣り合う第２の基礎ユニットの第５のパネル部材との間のヒンジは、両パネル部材のパネル正面が互いに近づく方向にのみ回動可能となっていることを特徴とするパネル構造物。
【請求項３】
複数のパネル部材が互いにヒンジ結合されて構成されているパネル構造物であって、
複数のパネル部材は、
段差部を介して対称となるように上下面が形成されている平行四辺形状の２枚の同一パネル部材の各１辺を、下面もしくは上面の同一平面上でヒンジ結合させ六角形状に構成された第３の基礎ユニットと、
この第３の基礎ユニットの両パネル部材と同一に構成された２枚の同一パネル部材の各１辺を、上面もしくは下面の同一平面上でヒンジ結合させ六角形状に構成された第４の基礎ユニットとを、
第３の基礎ユニットにおける両パネル部材を結合させたヒンジの軸方向と、第４の基礎ユニットにおける両パネル部材を結合させたヒンジの軸方向とが一致するように、両基礎ユニットの各２辺を、上面もしくは下面の同一平面上でそれぞれヒンジ結合させた第５の基礎ユニットから構成されており、この第５の基礎ユニットの各辺を互いにヒンジを介して２次元的に複数配設させた集合体から構成されていることを特徴とするパネル構造物。
【請求項４】
複数のパネル部材が互いにヒンジ結合されて構成されているパネル構造物であって、
複数のパネル部材は、
第１３のパネル部材、第１４のパネル部材、第１５のパネル部材および第１６のパネル部材から構成されており、
これら各パネル部材は、円周方向に隣接するようにヒンジを介して併設されており、
第１３のパネル部材と、隣り合う第１４のパネル部材との間のヒンジは、両パネル部材のパネル正面が互いに遠ざかる方向にのみ回動可能となっており、
第１４のパネル部材と、隣り合う第１５のパネル部材との間のヒンジは、両パネル部材のパネル正面が互いに遠ざかる方向にのみ回動可能となっており、
第１５のパネル部材と、隣り合う第１６のパネル部材との間のヒンジは、両パネル部材のパネル正面が互いに近づく方向にのみ回動可能となっており、
第１６のパネル部材と、隣り合う第１３のパネル部材との間のヒンジは、両パネル部材のパネル正面が互いに遠ざかる方向にのみ回動可能となっており、
第１３のパネル部材と第１４のパネル部材の両パネル正面が互いに遠ざかる方向に回動させていくと、第１５のパネル部材と第１６のパネル部材の両パネル正面が互いに近づく方向に回動されていき、第１５のパネル部材と第１６のパネル部材が重なり合う格好で第１３のパネル部材と第１４のパネル部材の間に収納されることを特徴とするパネル構造物。
【請求項５】
請求項４に記載のパネル構造物であって、
第１３のパネル部材と第１４のパネル部材は、
第１の辺と第２の辺との内角が６０度、第２の辺と第３の辺との内角が９０度、第３の辺と第４の辺との内角が９０度、第４の辺と第１の辺との内角が１２０度となす同一四角形状にそれぞれ構成されており、
第１５のパネル部材と第１６のパネル部材は、
第１の辺、第２の辺および第３の辺の各長さが、第１３のパネル部材および第１４のパネル部材の両第１の辺の長さと一致する同一正三角形状にそれぞれ構成されており、
第１３のパネル部材の第４の辺と第１４のパネル部材の第４の辺は、両パネル面が互いに遠ざかる方向に折り曲げ可能にヒンジ結合されており、
第１４のパネル部材の第１の辺と第１５のパネル部材の第１の辺は、両パネル面が互いに遠ざかる方向に折り曲げ可能にヒンジ結合されており、
第１５のパネル部材の第３の辺と第１６のパネル部材の第３の辺は、両パネル面が互いに近づく方向に折り曲げ可能にヒンジ結合されており、
第１６のパネル部材の第１の辺と第１３のパネル部材の第１の辺は、両パネル面が互いに遠ざかる方向に折り曲げ可能にヒンジ結合されていることを特徴とするパネル構造物。
【請求項６】
請求項１から５のいずれか一項に記載のパネル構造物を用い、
折り畳んだ状態で位置検出が可能となるパネル部材にセンサを組み込むとともに、操作が可能となるパネル部材にスイッチを組み込み、
当該折り畳んだ状態で用いるポインティングデバイス。
【請求項７】
請求項６に記載のポインティングデバイスであって、
ヒンジ結合は、シャフトと、当該シャフトに軸支される軸支部とを備え、
軸支部の長さがシャフトの軸方向長さよりも短くなるように構成したポインティングデバイス。
【発明の詳細な説明】
【技術分野】
【０００１】
本発明は、パネル構造物に関し、詳しくは、複数のパネル部材が互いにヒンジ結合されて構成されているパネル構造物に関する。
【背景技術】
【０００２】
従来より、この種のパネル構造物として、折り畳むと収納状態となり、広げると展開状態へと状態を変化させることができるものが知られている。【０００３】
なお、この出願の発明に関連する先行技術文献情報としては、例えば、特許文献１が知られている。
【特許文献１】特開２００５−５９７３５号公報
【発明の開示】
【発明が解決しようとする課題】
【０００４】
しかしながら、上述したパネル構造物では、収納状態となるように各パネル部材を折り畳むとき、各パネル部材が重なり合うように折り畳むことができなかった。そのため、コンパクトなサイズで収納することができなかった。【０００５】
本発明は、このような課題を解決しようとするもので、その目的は、収納状態においてコンパクトなサイズにでき、且つ、展開状態において隣接するパネル部材間が結合されたまま各パネル部材のパネル面を同一平面上に配置させることができるパネル構造物を提供することである。
【課題を解決するための手段】
【０００６】
本発明は、上記の目的を達成するためのものであって、以下のように構成されている。
請求項１に記載の発明は、複数のパネル部材が互いにヒンジ結合されて構成されているパネル構造物であって、複数のパネル部材は、同一正三角形状に形成された第１、第２、第３および第４のパネル部材が同一平面上で時計回り方向もしくは反時計回り方向に隣接するように併設され六角形状に構成された第１の基礎ユニットをヒンジを介して２次元的に複数配設させた集合体から構成されており、第１のパネル部材と第２のパネル部材の隣り合う辺は、両パネル面が同一平面状態または段差を有した平行状態となるようにそれぞれヒンジ結合されており、第３のパネル部材と第４のパネル部材の隣り合う辺は、両パネル面が同一平面状態または段差を有した平行状態となるようにそれぞれヒンジ結合されており、第２のパネル部材と第３のパネル部材の隣り合う辺は、両パネル部材が重なり合うようにヒンジ結合されていることを特徴とする。
この構成によれば、各パネル部材を重なり合わせることができるため、パネル構造物の収納状態がコンパクトな状態となる。一方、パネル構造物を展開させると、各パネル部材のパネル面を同一平面上に配置させることができる。【０００７】
また、請求項２に記載の発明は、請求項１に記載のパネル構造物であって、同一正三角形状に形成された第５、第６、第７および第８のパネル部材が同一平面上で第１の基礎ユニットの各パネル部材の併設方向と同方向に隣接するように併設され六角形状に構成された第２の基礎ユニットを備えており、複数のパネル部材は、第１の基礎ユニットと、この第１の基礎ユニットに対して、第２のパネル部材と第３のパネル部材のヒンジの軸方向および第６のパネル部材と第７のパネル部材のヒンジの軸方向が一致するように併設された第２の基礎ユニットとからなり、ヒンジを介してこれら両基礎ユニットを２次元的に複数配設させた集合体から構成されており、第１のパネル部材と、隣り合う第２の基礎ユニットの第６のパネル部材との間のヒンジは、両パネル部材のパネル正面が互いに近づく方向にのみ回動可能となっており、第１のパネル部材と、隣り合う第１の基礎ユニットの第４のパネル部材との間のヒンジは、両パネル部材のパネル正面が互いに遠ざかる方向にのみ回動可能となっており、第２のパネル部材と、第３のパネル部材との間のヒンジは、両パネル部材のパネル正面が互いに近づく方向にのみ回動可能となっており、第４のパネル部材と、隣り合う第２の基礎ユニットの第７のパネル部材との間のヒンジは、両パネル部材のパネル正面が互いに近づく方向にのみ回動可能となっており、第４のパネル部材と、隣り合う第１の基礎ユニットの第１のパネル部材との間のヒンジは、両パネル部材のパネル正面が互いに遠ざかる方向にのみ回動可能となっており、第５のパネル部材と、隣り合う第２の基礎ユニットの第８のパネル部材との間のヒンジは、両パネル部材のパネル正面が互いに近づく方向にのみ回動可能となっており、第６のパネル部材と、隣り合う第１の基礎ユニットの第１のパネル部材との間のヒンジは、両パネル部材のパネル正面が互いに近づく方向にのみ回動可能となっており、第６のパネル部材と、第７のパネル部材との間のヒンジは、両パネル部材のパネル正面が互いに遠ざかる方向にのみ回動可能となっており、第７のパネル部材と、隣り合う第１の基礎ユニットの第３のパネル部材との間のヒンジは、両パネル部材のパネル正面が互いに近づく方向にのみ回動可能となっており、第８のパネル部材と、隣り合う第２の基礎ユニットの第５のパネル部材との間のヒンジは、両パネル部材のパネル正面が互いに近づく方向にのみ回動可能となっていることを特徴とする。
この構成によれば、ヒンジの折り曲げ方向が決められているため、パネル構造物を展開状態から収納状態にさせるとき、容易にパネル構造物を重なり合わせることができる。【０００８】
また、請求項３に記載の発明は、複数のパネル部材が互いにヒンジ結合されて構成されているパネル構造物であって、複数のパネル部材は、段差部を介して対称となるように上下面が形成されている平行四辺形状の２枚の同一パネル部材の各１辺を、下面もしくは上面の同一平面上でヒンジ結合させ六角形状に構成された第３の基礎ユニットと、この第３の基礎ユニットの両パネル部材と同一に構成された２枚の同一パネル部材の各１辺を、上面もしくは下面の同一平面上でヒンジ結合させ六角形状に構成された第４の基礎ユニットとを、第３の基礎ユニットにおける両パネル部材を結合させたヒンジの軸方向と、第４の基礎ユニットにおける両パネル部材を結合させたヒンジの軸方向とが一致するように、両基礎ユニットの各２辺を、上面もしくは下面の同一平面上でそれぞれヒンジ結合させた第５の基礎ユニットから構成されており、この第５の基礎ユニットの各辺を互いにヒンジを介して２次元的に複数配設させた集合体から構成されていることを特徴とする。
この構成によれば、請求項２に記載の発明と同様の作用効果を得ることができる。【０００９】
また、請求項４に記載の発明は、複数のパネル部材が互いにヒンジ結合されて構成されているパネル構造物であって、複数のパネル部材は、第１３のパネル部材、第１４のパネル部材、第１５のパネル部材および第１６のパネル部材から構成されており、これら各パネル部材は、円周方向に隣接するようにヒンジを介して併設されており、第１３のパネル部材と、隣り合う第１４のパネル部材との間のヒンジは、両パネル部材のパネル正面が互いに遠ざかる方向にのみ回動可能となっており、第１４のパネル部材と、隣り合う第１５のパネル部材との間のヒンジは、両パネル部材のパネル正面が互いに遠ざかる方向にのみ回動可能となっており、第１５のパネル部材と、隣り合う第１６のパネル部材との間のヒンジは、両パネル部材のパネル正面が互いに近づく方向にのみ回動可能となっており、第１６のパネル部材と、隣り合う第１３のパネル部材との間のヒンジは、両パネル部材のパネル正面が互いに遠ざかる方向にのみ回動可能となっており、第１３のパネル部材と第１４のパネル部材の両パネル正面が互いに遠ざかる方向に回動させていくと、第１５のパネル部材と第１６のパネル部材の両パネル正面が互いに近づく方向に回動されていき、第１５のパネル部材と第１６のパネル部材が重なり合う格好で第１３のパネル部材と第１４のパネル部材の間に収納されることを特徴とする。【００１０】
また、請求項５に記載の発明は、請求項４に記載のパネル構造物であって、第１３のパネル部材と第１４のパネル部材は、第１の辺と第２の辺との内角が６０度、第２の辺と第３の辺との内角が９０度、第３の辺と第４の辺との内角が９０度、第４の辺と第１の辺との内角が１２０度となす同一四角形状にそれぞれ構成されており、第１５のパネル部材と第１６のパネル部材は、第１の辺、第２の辺および第３の辺の各長さが、第１３のパネル部材および第１４のパネル部材の両第１の辺の長さと一致する同一正三角形状にそれぞれ構成されており、第１３のパネル部材の第４の辺と第１４のパネル部材の第４の辺は、両パネル面が互いに遠ざかる方向に折り曲げ可能にヒンジ結合されており、第１４のパネル部材の第１の辺と第１５のパネル部材の第１の辺は、両パネル面が互いに遠ざかる方向に折り曲げ可能にヒンジ結合されており、第１５のパネル部材の第３の辺と第１６のパネル部材の第３の辺は、両パネル面が互いに近づく方向に折り曲げ可能にヒンジ結合されており、第１６のパネル部材の第１の辺と第１３のパネル部材の第１の辺は、両パネル面が互いに遠ざかる方向に折り曲げ可能にヒンジ結合されていることを特徴とする。【００１１】
請求項６に記載の発明は、請求項１から５のいずれか一項に記載のパネル構造物を用い、折り畳んだ状態で位置検出が可能となるパネル部材にセンサを組み込むとともに、操作が可能となるパネル部材にスイッチを組み込み、当該折り畳んだ状態で用いるポインティングデバイスである。
この構成によれば、展開状態において隣接するパネル部材間が結合されたまま各パネル部材のパネル面を同一平面上に配置され、折り畳み状態ではコンパクトなサイズになるポインティングデバイスを提供することができる。【００１２】
請求項７に記載の発明は、請求項６に記載のポインティングデバイスであって、ヒンジ結合は、シャフトと、当該シャフトに軸支される軸支部とを備え、軸支部の長さがシャフトの軸方向長さよりも短くなるように構成したことを特徴とする。
この構成によれば、軸支部がシャフトの長さ範囲内で動くことができ、パネル部材の移動に伴って軸支部も併せて移動する。この移動により、ポインティングデバイス自体のサイズを変化させることが可能になる。したがって、手の大きさに見合うポインティングデバイスに調整することができる。
【図面の簡単な説明】
【００１３】
【図１】図１は、本発明の実施例１に係る第１の基礎ユニットの斜視図である。
【図２】図２は、本発明の実施例１に係る第１の基礎ユニットと第２の基礎ユニットの斜視図である。
【図３】図３は、本発明の実施例１に係るパネル構造物の展開状態の斜視図である。
【図４】図４は、図３に示した展開状態と収納状態との途中状態の斜視図である。
【図５】図５は、本発明の実施例１に係るパネル構造物の収納状態の斜視図である。
【図６】図６は、本発明の実施例２に係る第３の基礎ユニットの斜視図である。
【図７】図７は、本発明の実施例２に係る第３の基礎ユニットと第４の基礎ユニットの斜視図である。
【図８】図８は、本発明の実施例２に係るパネル構造物の展開状態の斜視図である。
【図９】図９は、図８に示した展開状態と収納状態との途中状態の斜視図である。
【図１０】図１０は、本発明の実施例２に係るパネル構造物の収納状態の斜視図である。
【図１１】図１１は、本発明の実施例３に係るパネル構造物を水平面に展開したときの斜視図である。
【図１２】図１２は、図１１の展開状態のまま水平面に立たせたときの斜視図である。
【図１３】図１３は、図１２の展開状態から折り畳みの途中状態を示す斜視図である。
【図１４】図１４は、図１２の展開状態を折り畳んだ収納状態を示す斜視図である。
【図１５】図１５は、本発明の実施例３に係るパネル構造物の別の実施形態を示す平面図である。
【図１６】図１６は、本発明の実施例３に係るパネル構造物の別の実施形態を示す平面図である。
【図１７】図１７は、本発明の実施例３に係るパネル構造物の別の実施形態を示す平面図である。
【図１８】図１８は、本発明の実施例３に係るパネル構造物の別の実施形態を示す平面図である。
【図１９】図１９は、本発明の実施例３に係るパネル構造物の別の実施形態を示す平面図である。
【図２０】図２０は、本発明の実施例４に係るポインティングデバイスの実施形態を示す平面図である。
【図２１】図２１は、本発明の実施例４に係るポインティングデバイスの実施形態を示す側面図である。
【図２２】図２２は、図２０の展開状態から折り畳んで使用可能な状態を示す斜視図である。
【図２３】図２３は、図２１の状態から最も伸ばした形態を示す斜視図である。
【符号の説明】
【００１４】
１０    第１の基礎ユニット
１２    第１のパネル部材
１４    第２のパネル部材
１６    第３のパネル部材
１８    第４のパネル部材
２０    第２の基礎ユニット
２２    第５のパネル部材
２４    第６のパネル部材
２６    第７のパネル部材
２８    第８のパネル部材
１１０  第３の基礎ユニット
１２０  第４の基礎ユニット
１３０  第５の基礎ユニット
２１０  第１３のパネル部材
２２０  第１４のパネル部材
２３０  第１５のパネル部材
２４０  第１６のパネル部材
３００  パネル構造物
３０２、３０４、３０６、３０８、３１０、３１２  パネル部材
３０８ａ、３０８ｂ  ボタン切片
３１２ａ  傾斜面
Ａ、Ｂ、Ｃ、Ｄ、Ｅ、Ｆ、Ｇ、Ｈ、Ｉ、Ｊ、Ｋ、Ｌ、Ｍ、Ｎ、Ｏ、Ｐ、Ｑ、Ｒ、Ｓ、Ｔ、Ｕ、Ｖ、Ｗ、Ｘ  パネル部材
ＯＳ  光学センサ
ＳＷ２、ＳＷ４  スイッチ
ＳＰ  スピーカ
Ｙ  基板
ａ、ｂ、ｃ、ｅ、ｆ、ｇ、ｈ、ｉ  ヒンジ
ｄ  段差部
ｊ２、ｊ４、ｊ６、ｊ８  ヒンジ
ｍ２、ｍ４、ｍ６、ｍ８  軸支部
ｓ１、ｓ２、ｓ３、ｓ４、ｓ５、ｓ６、ｓ７、ｓ８  シャフト
ｋ２、ｋ４  ヒンジ
ｐ２、ｐ４、ｐ６、ｐ８  ピン
【発明を実施するための最良の形態】
【００１５】
以下、本発明を実施するための最良の形態を、図面を用いて説明する。
（実施例１）
まず、本発明の実施例１を、図１〜５を用いて説明する。図１は、本発明の実施例１に係る第１の基礎ユニットの斜視図である。図２は、本発明の実施例１に係る第１の基礎ユニットと第２の基礎ユニットの斜視図である。図３は、本発明の実施例１に係るパネル構造物の展開状態の斜視図である。図４は、図３に示した展開状態と収納状態との途中状態の斜視図である。図５は、本発明の実施例１に係るパネル構造物の収納状態の斜視図である。【００１６】
本発明の実施例１に係るパネル構造物は、第１の基礎ユニット１０と第２の基礎ユニット２０とを組み合わせたユニットを２次元的に複数配設させた集合体から構成されている。そのため、まず、これら両基礎ユニット１０、２０をそれぞれ説明する。【００１７】
はじめに、図１を参照して、第１の基礎ユニット１０を説明する。第１の基礎ユニット１０は、同一正三角形状に形成された第１、第２、第３および第４のパネル部材１２、１４、１６、１８が同一平面上で反時計回り方向に隣接するように併設され六角形状に構成されたユニットである。【００１８】
ここで、第１のパネル部材１２と第２のパネル部材１４の隣り合う辺のうち、その両側部は両パネル面が同一平面状態または段差を有した平行状態となるようにそれぞれヒンジ結合されている。このヒンジ結合を、以下の説明にあたって「ヒンジａ」と記す。これと同様に、第３のパネル部材１６と第４のパネル部材１８の隣り合う辺のうち、その両側部はヒンジａによって結合されている。また、第２のパネル部材１４と第３のパネル部材１６の隣り合う辺のうち、その中央部は両パネル部材のパネル正面が互いに近づく方向にのみ回動可能にヒンジ結合されている。このヒンジ結合を、以下の説明にあたって「ヒンジｂ」と記す。【００１９】
次に、図２を参照して、第２の基礎ユニット２０を説明する。第２の基礎ユニット２０は、第１の基礎ユニット１０と同様に、同一正三角形状に形成された第５、第６、第７および第８のパネル部材２２、２４、２６、２８が同一平面上で反時計回り方向に隣接するように併設され六角形状に構成されたユニットである。【００２０】
ここで、第５のパネル部材２２と第６のパネル部材２４の隣り合う辺のうち、その両側部はヒンジａによって結合されている。これと同様に、第７のパネル部材２６と第８のパネル部材２８の隣り合う辺のうち、その両側部はヒンジａによって結合されている。また、第６のパネル部材２４と第７のパネル部材２６の隣り合う辺のうち、その中央部は両パネル部材のパネル正面が互いに遠ざかる方向にのみ回動可能にヒンジ結合されている。このヒンジ結合を、以下の説明にあたって「ヒンジｃ」と記す。【００２１】
また、第２のパネル部材１４と第５のパネル部材２２の隣り合う辺のうち、その中央部はヒンジｃによって結合されている。また、第３のパネル部材１６と第８のパネル部材２８の隣り合う辺のうち、その中央部はヒンジｃによって結合されている。【００２２】
続いて、上述した第１の基礎ユニット１０と第２の基礎ユニット２０とを組み合わせたユニットを２次元的に複数配設させた集合体からなるパネル構造物を説明する。なお、パネル構造物の例として、図３に示すように、２４枚のパネル部材Ａ、Ｂ、Ｃ、・・・、Ｘからなるパネル構造物を説明する。【００２３】
まず、パネル構造物の構成を説明する。パネル部材Ａは、パネル部材Ｂとヒンジｂによって結合されている。また、パネル部材Ａは、パネル部材Ｒとヒンジｃによって結合されている。パネル部材Ｂは、パネル部材Ｃとヒンジｃによって結合されている。また、パネル部材Ｂは、パネル部材Ｘとヒンジａによって結合されている。パネル部材Ｃは、パネル部材Ｄとヒンジａによって結合されている。パネル部材Ｄは、パネル部材Ｅとヒンジｃによって結合されている。【００２４】
パネル部材Ｅは、パネル部材Ｆとヒンジａによって結合されている。また、パネル部材Ｅは、パネル部材Ｗとヒンジｂによって結合されている。パネル部材Ｆは、パネル部材Ｇとヒンジｂによって結合されている。パネル部材Ｇは、パネル部材Ｈとヒンジｃによって結合されている。パネル部材Ｈは、パネル部材Ｖとヒンジｂによって結合されている。また、パネル部材Ｈは、パネル部材Ｉとヒンジａによって結合されている。【００２５】
パネル部材Ｉは、パネル部材Ｊとヒンジｂによって結合されている。パネル部材Ｊは、パネル部材Ｋとヒンジａによって結合されている。パネル部材Ｋは、パネル部材Ｕとヒンジｂによって結合されている。また、パネル部材Ｋは、パネル部材Ｌとヒンジｃによって結合されている。パネル部材Ｌは、パネル部材Ｍとヒンジｂによって結合されている。パネル部材Ｍは、パネル部材Ｎとヒンジａによって結合されている。【００２６】
パネル部材Ｎは、パネル部材Ｏとヒンジｃによって結合されている。また、パネル部材Ｎは、パネル部材Ｔとヒンジｂによって結合されている。パネル部材Ｏは、パネル部材Ｐとヒンジａによって結合されている。パネル部材Ｐは、パネル部材Ｑとヒンジｃによって結合されている。パネル部材Ｑは、パネル部材Ｒとヒンジｂによって結合されている。また、パネル部材Ｑは、パネル部材Ｓとヒンジａによって結合されている。【００２７】
パネル部材Ｓは、パネル部材Ｔとヒンジｃによって結合されている。また、パネル部材Ｓは、パネル部材Ｘとヒンジｂによって結合されている。パネル部材Ｔは、パネル部材Ｕとヒンジａによって結合されている。パネル部材Ｕは、パネル部材Ｖとヒンジｃによって結合されている。パネル部材Ｖは、パネル部材Ｗとヒンジａによって結合されている。パネル部材Ｗは、パネル部材Ｘとヒンジｃによって結合されている。このようにして、２４枚のパネル部材Ａ、Ｂ、Ｃ、・・・、Ｘは互いにヒンジ結合されている。このようにヒンジ結合された状態がパネル構造物の展開状態である。なお、この展開状態では、各パネル部材Ａ、Ｂ、Ｃ、・・・、Ｘのパネル面は同一平面上に配置されている。【００２８】
ここで、パネル部材Ｂ、Ｘ、Ｓ、Ｑが第１の基礎ユニット１０に相当する。これと同様に、パネル部材Ｗ、Ｖ、Ｕ、Ｔが第２の基礎ユニット２０に相当する。また、これと同様に、パネル部材Ａは、第２の基礎ユニット２０の第６のパネル部材２４に相当する。また、これと同様に、パネル部材Ｃは、第１の基礎ユニット１０の第４のパネル部材１８に相当する。また、これと同様に、パネル部材Ｄは、第１の基礎ユニット１０の第３のパネル部材１６に相当する。【００２９】
また、これと同様に、パネル部材Ｅは、第２の基礎ユニット２０の第８のパネル部材２８に相当する。また、これと同様に、パネル部材Ｆは、第２の基礎ユニット２０の第７のパネル部材２６に相当する。また、これと同様に、パネル部材Ｇは、第１の基礎ユニット１０の第４のパネル部材１８に相当する。また、これと同様に、パネル部材Ｈは、第１の基礎ユニット１０の第１のパネル部材１２に相当する。また、これと同様に、パネル部材Ｉは、第１の基礎ユニット１０の第２のパネル部材１４に相当する。【００３０】
また、これと同様に、パネル部材Ｊは、第１の基礎ユニット１０の第３のパネル部材１６に相当する。また、これと同様に、パネル部材Ｋは、第１の基礎ユニット１０の第４のパネル部材１８に相当する。また、これと同様に、パネル部材Ｌは、第１の基礎ユニット１０の第１のパネル部材１２に相当する。また、これと同様に、パネル部材Ｍは、第２の基礎ユニット２０の第６のパネル部材２４に相当する。【００３１】
また、これと同様に、パネル部材Ｎは、第２の基礎ユニット２０の第５のパネル部材２２に相当する。また、これと同様に、パネル部材Ｏは、第１の基礎ユニット１０の第２のパネル部材１４に相当する。また、これと同様に、パネル部材Ｐは、第１の基礎ユニット１０の第１のパネル部材１２に相当する。また、これと同様に、パネル部材Ｒは、第２の基礎ユニット２０の第７のパネル部材２６に相当する。【００３２】
次に、パネル構造物の状態を変化させる動作を説明する。まず、パネル部材Ｘのパネル面がパネル部材Ｂのパネル面に対して上側に位置するようにヒンジａを折り曲げる。これと同様に、パネル部材Ｓのパネル面がパネル部材Ｑのパネル面に対して上側に位置するようにヒンジａを折り曲げる。また、これと同様に、パネル部材Ｄのパネル面がパネル部材Ｃのパネル面に対して上側に位置するようにヒンジａを折り曲げる。【００３３】
また、これと同様に、パネル部材Ｅのパネル面がパネル部材Ｆのパネル面に対して上側に位置するようにヒンジａを折り曲げる。また、これと同様に、パネル部材Ｗのパネル面がパネル部材Ｖのパネル面に対して上側に位置するようにヒンジａを折り曲げる。また、これと同様に、パネル部材Ｔのパネル面がパネル部材Ｕのパネル面に対して上側に位置するようにヒンジａを折り曲げる。また、これと同様に、パネル部材Ｏのパネル面がパネル部材Ｐのパネル面に対して上側に位置するようにヒンジａを折り曲げる。【００３４】
また、これと同様に、パネル部材Ｎのパネル面がパネル部材Ｍのパネル面に対して上側に位置するようにヒンジａを折り曲げる。また、これと同様に、パネル部材Ｉのパネル面がパネル部材Ｈのパネル面に対して上側に位置するようにヒンジａを折り曲げる。また、これと同様に、パネル部材Ｊのパネル面がパネル部材Ｋのパネル面に対して上側に位置するようにヒンジａを折り曲げる。【００３５】
その後、図４に示すように、ヒンジｂとヒンジｃをそれぞれ既に説明した方向に折り曲げていく。すると、図５に示すように、パネル部材Ｃ、Ｂ、Ａ、Ｒ、Ｑ、Ｐが重なりあった状態となる。これと同様に、パネル部材Ｄ、Ｅ、Ｗ、Ｘ、Ｓ、Ｔ、Ｎ、Ｏが重なりあった状態となる。また、これと同様に、パネル部材Ｆ、Ｇ、Ｈ、Ｖ、Ｕ、Ｋ、Ｌ、Ｍが重なりあった状態となる。また、これと同様に、パネル部材Ｉ、Ｊが重なりあった状態となる。このように重なりあった状態がパネル構造物の収納状態である。なお、この収納状態から展開状態に戻す場合には、上述した折り曲げ動作と逆の動作を行えばよい。【００３６】
本発明のパネル構造物は、上述したように構成されている。この構成によれば、各パネル部材Ａ、Ｂ、Ｃ、・・・、Ｘを重なり合わせることができるため、パネル構造物の収納状態がコンパクトな状態となる。一方、パネル構造物を展開させると、各パネル部材Ａ、Ｂ、Ｃ、・・・、Ｘにおいて隣接するパネル部材間を結合させたままの状態で、各パネル面を同一平面上に配置させることができる。また、この構成によれば、ヒンジｂ、ヒンジｃの折り曲げ方向が決められているため、パネル構造物を展開状態から収納状態にさせるとき、容易にパネル構造物を重なり合わせることができる。【００３７】
なお、このパネル構造物は、各種用途に適用可能である。パネル構造物は、例えば、太陽光発電におけるパネル形状の太陽電池に適用可能である。また、パネル構造物は、例えば、所定時のみに道路を封鎖するバリケード等にも適用可能である。その場合、バリケードを搬送する時には、バリケードはコンパクトな状態となる（図５に示される状態）。また、バリケードとして使用する時には、バリケードを収納状態と展開状態の途中状態にすればよい（図４に示される状態）。また、バリケードを一時的に解除したい時には、バリケードを撤去することなく、一時的に展開状態にすればよい（図３に示される状態）。【００３８】
（実施例２）
次に、本発明の実施例２を、図６〜１０を用いて説明する。図６は、本発明の実施例２に係る第３の基礎ユニットの斜視図である。図７は、本発明の実施例２に係る第３の基礎ユニットと第４の基礎ユニットの斜視図である。図８は、本発明の実施例２に係るパネル構造物の展開状態の斜視図である。図９は、図８に示した展開状態と収納状態との途中状態の斜視図である。図１０は、本発明の実施例２に係るパネル構造物の収納状態の斜視図である。【００３９】
既に説明した実施例１では、正三角形状のパネル部材から構成される基礎ユニットを複数配設させる集合体を説明した。それに対し、これから説明する実施例２では、ひし形状のパネル部材から構成される基礎ユニットを複数配設させるものである。【００４０】
そのため、図６に示す、段差部ｄを介して対称となるように上下面が形成されている第９のパネル部材１１２が、実施例１で説明した、ヒンジａを介して隣接される２枚のパネル部材（第１パネル部材１２と第２パネル部材１４）に相当する。これと同様に、図６に示す、段差部ｄを介して対称となるように上下面が形成されている第１０のパネル部材１１６が、実施例１で説明した、ヒンジａを介して隣接される２枚のパネル部材（第３パネル部材１６と第４パネル部材１８）に相当する。これら両パネル部材１１２、１１６がヒンジｅによって結合されて構成される第３の基礎ユニット１１０が、実施例１で説明した、第１の基礎ユニット１０に相当する。【００４１】
また、これと同様に、図７に示す、段差部ｄを介して対称となるように上下面が形成されている第１１のパネル部材１２２が、実施例１で説明した、ヒンジａを介して隣接される２枚のパネル部材（第５パネル部材２２と第６パネル部材２４）に相当する。また、これと同様に、段差部ｄを介して対称となるように上下面が形成されている第１２のパネル部材１２６が、実施例１で説明した、ヒンジａを介して隣接される２枚のパネル部材（第７パネル部材２６と第８パネル部材２８）に相当する。これら両パネル部材１２２、１２６がヒンジｆによって結合されて第４の基礎ユニット１２０が構成されている。そして、これら第３の基礎ユニット１１０と第４の基礎ユニット１２０とから構成される第５の基礎ユニット１３０が、実施例１で説明した、第１の基礎ユニット１０と第２の基礎ユニット２０を合わせたユニットに相当する。【００４２】
そして、この第５の基礎ユニット１３０を、第２の基礎ユニット２０と同様に２次元方向に複数配設させる。すると、実施例１と同様に、パネル構造物を展開状態、途中状態および収納状態にすることができる（図８、９、１０参照）。【００４３】
本発明の実施例２に係るパネル構造物は上述したように構成されている。この構成によれば、実施例１で説明したパネル構造物と同様の作用効果を得ることができる。【００４４】
（実施例３）
続いて、本発明の実施例３を、図１１〜１４を用いて説明する。
図１１は、本発明の実施例３に係るパネル構造物を水平面に展開したときの斜視図である。図１２は、図１１の展開状態のまま水平面に立たせたときの斜視図である。図１３は、図１２の展開状態から折り畳みの途中状態を示す斜視図である。図１４は、図１２の展開状態を折り畳んだ収納状態を示す斜視図である。【００４５】
まず、実施例３に係るパネル構造物の構成を説明する。図１１に示すように、パネル構造物は、第１３のパネル部材２１０、第１４のパネル部材２２０、第１５のパネル部材２３０および第１６のパネル部材２４０から構成されている。以下に、これら各パネル部材２１０、２２０、２３０、２４０の構成を個別に説明する。【００４６】
第１３のパネル部材２１０は、その４辺が第１の辺２１１、第２の辺２１２、第３の辺２１３および第４の辺２１４からなる四角形状に構成されている。これら４辺のうち、第１の辺２１１と第２の辺２１２との内角が６０度となるように構成されている。また、第２の辺２１２と第３の辺２１３との内角が９０度となるように構成されている。また、第３の辺２１３と第４の辺２１４との内角が９０度となるように構成されている。また、第４の辺２１４と第１の辺２１１との内角が１２０度となるように構成されている。【００４７】
第１４のパネル部材２２０は、第１３のパネル部材２１０と同一形状となるように、その４辺が第１の辺２２１、第２の辺２２２、第３の辺２２３および第４の辺２２４からなる四角形状に構成されている。【００４８】
第１５のパネル部材２３０は、その３辺が第１の辺２３１、第２の辺２３２および第３の辺２３３からなる正三角形状に構成されている。これら３辺２３１、２３２、２３３の各長さは、第１３のパネル部材２１０および第１４のパネル部材２２０の両第１の辺２１１、２２１の長さと一致するように構成されている。【００４９】
第１６のパネル部材２４０は、第１５のパネル構造物と同一形状となるように、その３辺が第１の辺２４１、第２の辺２４２および第３の辺２４３からなる正三角形状に構成されている。【００５０】
これら４枚のパネル部材２１０、２２０、２３０、２４０のうち、第１３のパネル部材２１０の第４の辺２１４と第１４のパネル部材２２０の第４の辺２２４は、両パネル面が互いに遠ざかる方向に折り曲げ可能にヒンジｇによって結合されている。また、第１４のパネル部材の第１の辺２２１と第１５のパネル部材２３０の第１の辺２３１は、両パネル面が互いに遠ざかる方向に折り曲げ可能にヒンジｈによって結合されている。【００５１】
また、第１５のパネル部材２３０の第３の辺２３３と第１６のパネル部材２４０の第３の辺２４３は、両パネル面が互いに近づく方向に折り曲げ可能にヒンジｉによって結合されている。また、第１６のパネル部材２４０の第１の辺２４１と第１３のパネル部材２１０の第１の辺２１１は、両パネル面が互いに遠ざかる方向に折り曲げ可能にヒンジｈによって結合されている。なお、これら各パネル部材２１０、２２０、２３０、２４０のパネル面には、スピーカＳＰが埋め込まれている。【００５２】
次に、パネル構造物の動作について説明する。この説明をするにあたって、パネル構造物を図１１に示されるように水平面に展開した状態から、図１２に示されるように立たせた状態にして説明していく。【００５３】
この図１２に示される状態から、第１３のパネル部材２１０と第１４のパネル部材２２０をヒンジｇを介して両パネル面が互いに遠ざかる方向に折り曲げる。この折り曲げに伴って、ヒンジｉを介して第１５のパネル部材２３０と第１６のパネル部材２４０の両パネル面が互いに近づく方向に折り曲げられる。このとき、ヒンジｈを介して第１４のパネル部材２２０と第１５のパネル部材２３０の両パネル面が互いに遠ざかる方向に折り曲げられる。また、このとき、ヒンジｈを介して第１６のパネル部材２４０と第１３のパネル部材２１０の両パネル面が互いに遠ざかる方向に折り曲げられる（図１３参照）。【００５４】
この図１３に示される状態から、さらに、第１３のパネル部材２１０と第１４のパネル部材２２０をヒンジｇを介して両パネル面が互いに遠ざかる方向に折り曲げる。すると、４枚のパネル部材２１０、２２０、２３０、２４０が互いに平行な状態となり、これによりパネル構造物は収納状態となる（図１４参照）。【００５５】
本発明の実施例３に係るパネル構造物は上述したように構成されている。この構成によれば、収納状態においてコンパクトなサイズにでき、且つ、展開状態において隣接するパネル部材間が結合されたまま各パネル部材のパネル面を同一平面上に配置させることができる。また、この構成によれば、各パネル部材２１０、２２０、２３０、２４０にはスピーカＳＰを備えているため、持ち運びが便利な音声再生手段を提供することができる。【００５６】
上述した内容は、あくまでも本発明の一実施の形態に関するものであって、本発明が上記内容に限定されることを意味するものではない。
実施例１では、パネル構造物は２４枚のパネル部材Ａ、Ｂ、Ｃ、・・・、Ｘによって構成されている例を説明した。しかし、これに限定されるものでなく、パネル部材の枚数は何枚でも構わない。【００５７】
また、実施例１では、第１の基礎ユニット１０と第２の基礎ユニット２０とを組み合わせたユニットの例として、第２のパネル部材１４と第５のパネル部材２２および第３のパネル部材１６と第８のパネル部材２８をそれぞれヒンジｃによって結合する構成を説明した。しかし、これに限定されるものでなく、第６のパネル部材２４と第１のパネル部材１２および第７のパネル部材２６と第４のパネル部材１８をそれぞれヒンジｂによって結合する構成でも構わない。【００５８】
また、第１の基礎ユニット１０および第２の基礎ユニット２０を２次元的に配設させるとき、必ずしも両ユニット１０、２０を構成する全てのパネル部材１２、１４、１６、１８、２２、２４、２６、２８を配設する必要はない。パネル構造物の所望する形状に応じて、不必要となるパネル部材を配設する必要がないことは言うまでもない。このことは、実施例２においても同様である。【００５９】
また、実施例２では、各パネル部材がひし形の場合を説明した。しかし、これに限定されるものでなく、各パネル部材が平行四辺形の場合であっても構わない。【００６０】
また、実施例３では、第１３のパネル部材２１０と第１４のパネル部材２２０は四角形状に構成され、第１５のパネル部材２３０と第１６のパネル部材２４０は正三角形状に構成されている場合を説明した。しかし、これに限定されるものでなく、各パネル部材２１０、２２０、２３０、２４０は、様々な形状であっても構わない。また、各パネル部材２１０、２２０、２３０、２４０は、必要に応じ、角が面取りされていても構わないし、辺が丸みを帯びていても構わない（図１５〜１９参照）。【００６１】
（実施例４）
本発明の実施例４は、上述した実施例２で用いたパネル部材の形状に類似する部材を用いたパネル構造物であって、折り畳み時にポインティングデバイス（本例ではマウス）として使用できるように構成したものである。この実施例４は、図２０〜２３を用いて説明する。図２０は、パネル構造物を展開した状態を示す平面図である。図２１は、図２０の下側から上側を見た側面図である。図２２は、パネル構造物を折り畳んだときの状態（最小時）を示す斜視図である。図２３は、図２２の状態から最も伸ばした形態（最大時）を示す斜視図である。【００６２】
図２０と図２１に表すパネル構造物３００は、複数（本例では６枚）のパネル部材３０２、３０４、３０６、３０８、３１０、３１２や、これらのパネル部材を連結する複数（本例では７つ）のヒンジｊ２、ｊ４、ｊ６、ｊ８、ｋ２、ｋ４、ｋ６などを有する。【００６３】
パネル部材３０２は折り畳んだ状態で下面となる部位あって、ヒンジｊ２を介して後述するパネル部材３０４に結合されている。このパネル部材３０２は、マウスとして機能させるために組み込まれた基板Ｙや、ヒンジｊ２を構成するシャフトｓ１などを有する。基板Ｙには、位置検出を行う光学センサＯＳや、操作検出を行うスイッチＳＷ２、ＳＷ４、接続用コードなどが備えられている。スイッチＳＷ２にはピンｐ２が備えられ、スイッチＳＷ４にはピンｐ４が備えられている。
パネル部材３０８は折り畳んだ状態で上面となる部位であって、ヒンジｊ６を介して後述するパネル部材３１０に結合されている。このパネル部材３０８は、マウスの機能として操作を行う際に用いるボタン切片３０８ａ、３０８ｂや、ヒンジｊ６を構成するシャフトｓ５などを有する。図２１に表すように、ボタン切片３０８ａに備えられたピンｐ６は、ボタン切片３０８ａの操作に伴って上記ピンｐ２を押してスイッチＳＷ２をオンするように構成する。同様にボタン切片３０８ｂに備えられたピンｐ８は、ボタン切片３０８ｂの操作に伴って上記ピンｐ４を押してスイッチＳＷ４をオンするように構成する。
パネル部材３０２とパネル部材３０８との間は、図２０の裏面側に備えられて当該裏面側が谷折りとなる方向にのみ作動するヒンジｋ２によって結合されている。このヒンジｋ２は、ヒンジｊ２、ｊ４、ｊ６、ｊ８と同様に構成するが、軸支部の長さをシャフトの軸方向長さとほぼ同じにした点で相違する（後述するヒンジｋ４、ｋ６も同様である）。【００６４】
パネル部材３０４は、ヒンジｊ２を構成するシャフトｓ２や、ヒンジｊ４を構成するシャフトｓ３、ヒンジｋ４を構成するシャフト（図示せず）などを有する。パネル部材３１０は、ヒンジｊ６を構成するシャフトｓ６や、ヒンジｊ８を構成するシャフトｓ７、ヒンジｋ４を構成するシャフト（図示せず）などを有する。パネル部材３０４とパネル部材３１０との間はヒンジｋ４によって結合されている。このヒンジｋ４は、図２０の裏面側に現れる段差部で動きが規制され、図２０の表面側が谷折りとなる方向にのみ作動する。
上述したパネル部材３０４、３１０は、実施例２で用いたパネル部材１１２、１１６にそれぞれ類似する（図７参照）。ただし、パネル部材３０４、３１０は板状部材とした点で、フレーム状（中あき状）に形成したパネル部材１１２、１１６と相違する。【００６５】
パネル部材３０６は、ヒンジｊ４を構成するシャフトｓ４や、ヒンジｋ６を構成するシャフト（図示せず）などを有する。パネル部材３１２は、ヒンジｊ８を構成するシャフトｓ８や、ヒンジｋ６を構成するシャフト（図示せず）、傾斜面３１２ａなどを有する。パネル部材３０６とパネル部材３１２との間はヒンジｋ６によって結合されている。このヒンジｋ６は、図２０の表面側に現れる段差部ｄ（図面右端部）で動きが規制され、図２０の表面側が山折りとなる方向にのみ作動する。傾斜面３１２ａは手の平を置く部位であって、段差部ｄを頂点として端部に向かって下り傾斜している。
上述したパネル部材３０６、３１２は、実施例２で用いたパネル部材１２２、１２６にそれぞれ相当する（図７参照）。ただし、パネル部材３０６、３１２は平面が五角形状の板状部材とした点で、平面が平行四辺形状でフレーム状に形成したパネル部材１２２、１２６と相違する。【００６６】
ヒンジｊ２は、パネル部材３０２に備えたシャフトｓ１、パネル部材３０４に備えたシャフトｓ２、これらのシャフトｓ１、ｓ２を軸支する軸支部ｍ２によって構成される。
ヒンジｊ４は、パネル部材３０４に備えたシャフトｓ３、パネル部材３０６に備えたシャフトｓ４、これらのシャフトｓ３、ｓ４を軸支する軸支部ｍ４によって構成される。
ヒンジｊ６は、パネル部材３０８に備えたシャフトｓ５、パネル部材３１０に備えたシャフトｓ６、これらのシャフトｓ５、ｓ６を軸支する軸支部ｍ６によって構成される。
ヒンジｊ８は、パネル部材３１０に備えたシャフトｓ７、パネル部材３１２に備えたシャフトｓ８、これらのシャフトｓ７、ｓ８を軸支する軸支部ｍ８によって構成される。
図２０の表面側を基準として、ヒンジｊ２、ｊ６は山折りとなる方向にのみ作動し、ヒンジｊ４、ｊ８は谷折りとなる方向にのみ作動するように構成されている。また、軸支部ｍ２、ｍ４、ｍ６、ｍ８の長さは、シャフトｓ１、ｓ２、ｓ３、ｓ４、ｓ５、ｓ６、ｓ７、ｓ８の軸方向長さよりも短くなるように構成されている。【００６７】
上述したパネル構造物３００を折り畳むと、図２２に示すような状態になる。この状態では、パネル構造物３００をマウスとして使用することが可能になる。よって、展開状態において隣接するパネル部材間が結合されたまま各パネル部材のパネル面を同一平面上に配置され（図２０参照）、折り畳み状態ではコンパクトなサイズになるマウス（すなわちポインティングデバイス）を提供することができる。【００６８】
また、パネル部材３０６、３１２やパネル部材３０４、３１０を矢印Ｚ方向に引っ張ると、中間的な状態を経て、最も伸ばした状態で図２３のようになる。すなわちヒンジｊ２、ｊ４、ｊ６、ｊ８の各軸支部ｍ２、ｍ４、ｍ６、ｍ８が対応するシャフトの長さ範囲内で動くことができ、所要のパネル部材の移動に伴って対応する軸支部も併せて移動する。この移動により、マウス自体のサイズ（特に長手方向の長さ）を変化させることが可能になる。したがって、手の大きさに見合うマウスに調整することができる。
一方、矢印Ｚ方向とは逆方向にパネル部材３０６、３１２や、パネル部材３０４、３１０を最も押し込んだ状態で図２２のようになり、押し込んだ後に展開すれば図２０に示すような状態に戻る。このように使用時はマウスになり、収納時は展開された板状部材になるので、持ち運びにかさばらない。【００６９】
上述した実施例４ではポインティングデバイスとして光学式マウスに適用したが、ボールを追加することによりボール式マウスやトラックボールに適用することも可能である。
【図１】
2009011155.tif 000003
【図２】
2009011155.tif 000004
【図３】
2009011155.tif 000005
【図４】
2009011155.tif 000006
【図５】
2009011155.tif 000007
【図６】
2009011155.tif 000008
【図７】
2009011155.tif 000009
【図８】
2009011155.tif 000010
【図９】
2009011155.tif 000011
【図１０】
2009011155.tif 000012
【図１１】
2009011155.tif 000013
【図１２】
2009011155.tif 000014
【図１３】
2009011155.tif 000015
【図１４】
2009011155.tif 000016
【図１５】
2009011155.tif 000017
【図１６】
2009011155.tif 000018
【図１７】
2009011155.tif 000019
【図１８】
2009011155.tif 000020
【図１９】
2009011155.tif 000021
【図２０】
2009011155.tif 000022
【図２１】
2009011155.tif 000023
【図２２】
2009011155.tif 000024
【図２３】
2009011155.tif 000025
【国際調査報告】
2009011155.tif 000026
2009011155.tif 000027
2009011155.tif 000028
2009011155.tif 000029